(57)【要約】【課題】ＩＣカード利用者にとって最適なタイミングでロック解除状態にあるＩＣカードをロック状態に切り替えることができる携帯端末装置を提供することを目的とする。【解決手段】本発明の携帯端末装置１は、カードリーダライタ２との無線通信を禁止するロック状態またはカードリーダライタ２との無線通信を許可するロック解除状態に、ＩＣカード１７を切り替える使用制限指示部１３１と、前記ロック解除状態にあるＩＣカード１７が、カードリーダライタ２から受信する電波の電波強度を検出する電圧検出部１８と、を備え、使用制限指示部１３１が、電圧検出部１８が検出する電波強度がある閾値以上から当該閾値未満に推移したとき、前記ロック状態にＩＣカード１７を切り替える、ものである。【選択図】図２
2007148670.tif 000002
【特許請求の範囲】
【請求項１】
ＩＣカードリーダと無線通信可能なＩＣ回路を備えた携帯端末装置であって、
前記ＩＣカードリーダとの無線通信を禁止するロック状態または前記ＩＣカードリーダとの無線通信を許可するロック解除状態に、前記ＩＣ回路を切り替えるＩＣカード使用制御部と、
前記ロック解除状態にある前記ＩＣ回路が、前記ＩＣカードリーダから受信する電波の電波強度を検出する電波強度検出部と、を備え、
前記ＩＣカード使用制御部は、前記電波強度検出部が検出する電波強度がある閾値以上から当該閾値未満に推移したとき、前記ロック状態に前記ＩＣ回路を切り替える、
携帯端末装置。
【請求項２】
請求項１記載の携帯端末装置であって、
当該携帯端末装置利用者から入力操作を受け付ける操作部と、
外部の無線通信ユニットとの距離を検出し、前記無線通信ユニットとの距離が認証可能距離以内にあるか否かに応じて認証可または認証不可と判定する無線認証部と、を備え、
前記ＩＣカード使用制御部は、前記操作部が所定の入力操作を受け付け、かつ前記無線認証部が認証可と判定したとき、前記ロック解除状態に前記ＩＣ回路を切り替える、
携帯端末装置。
【発明の詳細な説明】
【技術分野】
【０００１】
本発明は、ＩＣカードリーダと無線通信を行うＩＣカードを搭載した携帯端末装置に関し、特に、ＩＣカードリーダとの無線通信を禁止するロック状態またはＩＣカードリーダとの無線通信を許可するロック解除状態にＩＣカードを切り替えることができる携帯端末装置に関する。
【背景技術】
【０００２】
近年、非接触ＩＣカードを利用した、様々なサービスが提供されている。例えば、店舗や自動販売機における料金の精算、鉄道やバスなどの交通手段における乗車運賃の精算、または、各種会場における入場者の入退場の管理、などが挙げられる。
【０００３】
非接触ＩＣカードは、ＩＣカードリーダに非接触ＩＣカードをかざしたあらゆるカード利用者が上記のサービスを受けることができるため、その非接触ＩＣカードを入手した第３者によって、不正に利用されてしまうことが考えられる。このため、カード利用者を認証し、認証に成功したカード利用者のみ上述のサービスを受けるようにする構成を設けることが望まれるが、厚みが非常に薄い非接触ＩＣカードに、これらの構成を設けることは困難である。
【０００４】
現在では、非接触ＩＣカード機能を実現するためのＩＣカードを搭載した携帯端末装置が開発されており、中には、カード利用者を認証し、認証に成功したカード利用者のみがＩＣカードを利用できる構成を設けたものがある。例えば特許文献１の携帯端末装置は、ＩＣカードを搭載した携帯端末装置に予めＩＣカード毎またはＩＣカードにより利用可能なサービス毎に暗証番号が携帯端末装置利用者によって登録されており、通常使用不能状態とされているＩＣカード機能の利用に先立って暗証番号を入力し、登録暗証番号と入力暗証番号とが一致したときのみＩＣカード機能を所定の時間、使用不能状態を解除するものである。この携帯端末装置を利用することによって、ＩＣカードを入手した第３者によってＩＣカードが不正に利用されていることを防ぐことができるとともに、ＩＣカードリーダを所有する悪意ある第３者によってスキミングされることを防ぐことができる。
【特許文献１】特開２００３−０１６３９８号公報
【発明の開示】
【発明が解決しようとする課題】
【０００５】
特許文献１の携帯端末装置は、ＩＣカード機能の利用に先立って暗証番号を入力し、ＩＣカード機能を使用することができる使用可能状態（以下、ロック解除状態と称する）になった後所定の時間が経過すると、ＩＣカード機能を使用することができない使用不能状態（以下、ロック状態と称する）に切り替える構成である。しかしながら、この所定の時間が短いとカード利用者はＩＣカードをロック解除状態にした後急いでＩＣカードを搭載した携帯端末装置をＩＣカードリーダにかざさなければならず、逆に長いとＩＣカードがスキミングされる可能性が高まってしまう。また、この所定の時間は、カード利用者によってその最適な時間間隔が異なるため、一律に時間間隔を設定することは困難である。
【０００６】
また、特許文献１の携帯端末装置は、ＩＣカード機能を利用する度に、ＩＣカードをロック解除状態に切り替えるために、その使用に先立って４桁の暗証番号を入力しなければならず、ロック状態にあるＩＣカードをロック解除状態に切り替える操作が煩雑であり、携帯端末装置利用者に負担をかけていた。
【０００７】
本発明は、上記事情に鑑みてなされたもので、ロック解除状態にあるＩＣカードがスキミングされることを防ぎつつ、ＩＣカード利用者にとって最適なタイミングでロック解除状態にあるＩＣカードをロック状態に切り替えることができる携帯端末装置を提供することを目的とする。
【０００８】
また、本発明は、ＩＣカードが不正に使用されることやスキミングされることを防ぎつつ、ロック状態にあるＩＣカードを簡単な操作でロック解除状態に切り替えることができる携帯端末装置を提供することを目的とする。
【課題を解決するための手段】
【０００９】
本発明の携帯端末装置は、ＩＣカードリーダと無線通信可能なＩＣ回路を備えた携帯端末装置であって、前記ＩＣカードリーダとの無線通信を禁止するロック状態または前記ＩＣカードリーダとの無線通信を許可するロック解除状態に、前記ＩＣ回路を切り替えるＩＣカード使用制御部と、前記ロック解除状態にある前記ＩＣ回路が、前記ＩＣカードリーダから受信する電波の電波強度を検出する電波強度検出部と、を備え、前記ＩＣカード使用制御部が、前記電波強度検出部が検出する電波強度がある閾値以上から当該閾値未満に推移したとき、前記ロック状態に前記ＩＣ回路を切り替える、ものである。
【００１０】
この構成では、ＩＣカードリーダから送出される電波の電波強度がある閾値を下回ったとき、つまりＩＣカードリーダと携帯端末装置とが一定距離離れたとき、ＩＣカードをロック状態に切り替える。このため、ＩＣカードリーダから送出される電波が例えば中、長波帯であれば無線通信可能なＩＣカードリーダ−携帯端末装置間の距離が数ｃｍ程度であり、この数ｃｍ程度離れたＩＣカードリーダから送出される電波の電波強度を閾値として設定すると、携帯端末利用者がロック解除状態にあるＩＣカードをＩＣカードリーダにかざして無線通信を行なわせた後そのＩＣカードをＩＣカードリーダから離すとすぐに、ＩＣカードはロック状態に切り替わるため、ＩＣカードリーダとの無線通信に最低限必要な期間のみＩＣカードをロック解除状態にしておくことができる。このため、ロック解除状態にあるＩＣカードがスキミングされる恐れのある期間を最小にすることができ、また携帯端末利用者はＩＣカードがロック状態に切り替わることを意識する必要が無いため、ＩＣカードをロック解除状態からロック状態に切り替えるために発生する携帯端末利用者への負担をなくすことができる。
【００１１】
また、本発明の携帯端末装置は、当該携帯端末装置利用者から入力操作を受け付ける操作部と、外部の無線通信ユニットとの距離を検出し、前記無線通信ユニットとの距離が認証可能距離以内にあるか否かに応じて認証可または認証不可と判定する無線認証部と、を備え、前記ＩＣカード使用制御部が、前記操作部が所定の入力操作を受け付け、かつ前記無線認証部が認証可と判定したとき、前記ロック解除状態に前記ＩＣ回路を切り替える、ものを含む。
【００１２】
この構成では、携帯端末装置利用者が携帯端末装置とこの携帯端末装置と対に設定されている無線通信ユニットとを両方保持している場合で、かつ携帯端末装置利用者が携帯端末装置に所定の操作をしたときに、携帯端末装置がロック状態にあるＩＣカードをロック解除状態に切り替える。これにより、無線通信ユニットと携帯端末装置とがお互いに近くに無い場合、特に携帯端末装置利用者が無線通信ユニットを保持し、携帯端末装置を保持していない場合には、ＩＣカードがロック解除状態になることはないため、ＩＣカードが不正に使用されることやスキミングされることを防ぐことができ、携帯端末装置利用者が無線通信ユニットと携帯端末装置を両方保持している場合には、携帯端末装置利用者が携帯端末装置に備わるある操作キーを押下するなどの簡易な操作をすることによって、ＩＣカードをロック解除状態にするため、ロック状態にあるＩＣカードを簡単な操作でロック解除状態に切り替えることができる。このような簡単な操作でＩＣカードをロック状態からロック解除状態に切り替えた後、携帯端末利用者がロック解除状態にあるＩＣカードをＩＣカードリーダにかざして無線通信を行なわせ、そのＩＣカードをＩＣカードリーダから離すとすぐに、ＩＣカードはロック状態に切り替わるため、ＩＣカードリーダとの無線通信に最低限必要な期間のみＩＣカードをロック解除状態にしておくことができる。
【発明の効果】
【００１３】
本発明の携帯端末装置は、ロック解除状態にあるＩＣカードがスキミングされることを防ぎつつ、ＩＣカード利用者にとって最適なタイミングでロック解除状態にあるＩＣカードをロック状態に切り替えることができる。また、本発明の携帯端末装置は、ＩＣカードが不正に使用されることやスキミングされることを防ぎつつ、ロック状態にあるＩＣカードを簡単な操作でロック解除状態に切り替えることができる。
【発明を実施するための最良の形態】
【００１４】
以下、本発明の実施の形態の携帯端末装置が行なう処理の概要について、図１を参照して説明する。図１は、本発明の実施の形態の携帯端末装置による、当該携帯端末装置に搭載されたＩＣカードをロック解除状態およびロック状態に切り替える処理の概要を示す図である。
【００１５】
［ロック状態からロック解除状態への切り替え処理の概要］
ＩＣカードを備える携帯端末装置１は、地点Ｐから地点Ｑ、Ｒを経て地点Ｓに移動するものとする。また、カードリーダライタ２は、携帯端末装置１が備えるＩＣカードとの距離がＤの範囲内で、当該ＩＣカードからの読み出し、あるいは当該ＩＣカードへの書き込みが可能であるとする。また、地点Ｑにある携帯端末装置１ａはカードリーダライタ２との距離がＤ未満の位置であり、地点Ｒにある携帯端末装置１ａはカードリーダライタ２との距離がＤの位置であり、地点Ｐ、Ｓにある携帯端末装置１ｂはカードリーダライタ２との距離がＤを越える位置である。
【００１６】
携帯端末装置１は、無線通信ユニット３との間で無線認証を行い、無線通信ユニット３との距離が認証距離以内（図１に示す、携帯端末装置１ａと無線通信ユニット３ａとの距離、および携帯端末装置１ｂと無線通信ユニット３ｂとの距離は、両方とも認証距離以内にあるものとして図示している）と検出されれば認証が成立している（すなわち、携帯端末装置１が、当該携帯端末装置１と対の無線通信ユニット３を保持する携帯端末装置利用者によって利用されている）と判断し、当該携帯端末装置が備える操作キーの入力操作を受け付けることができる状態になる。一方、認証距離より大きいと検出されれば認証が不成立（すなわち、携帯端末装置１が、当該携帯端末装置１と対の無線通信ユニット３を保持していない携帯端末装置利用者以外の第３者によって利用されている）とみなして当該携帯端末装置が備える各種機能（操作キーの入力操作を受け付ける機能も含む）に対して使用制限をかける。なお、携帯端末装置１は、当該携帯端末装置１が無線通信ユニット３との距離が認証距離よりも大きくなる、あるいは大きいままであれば、無条件に当該携帯端末装置１が備えるＩＣカードをロック状態に切り替える、あるいはロック状態を維持し、ＩＣカードをロック解除状態に切り替えることは無いため、以後、携帯端末装置１と無線通信ユニット３は、認証距離以内にある状態で地点Ｐから地点Ｓに移動しているものとして説明する。
【００１７】
搭載するＩＣカードがロック状態である携帯端末装置１は、地点Ｐにおいて操作キーによる入力操作（例えば、携帯端末装置の側面に設けられたサイドキーの押下を所定の入力操作として設定しておけば、携帯端末装置利用者にかかる操作の負担を最小限に抑えることができる）を受け付けると、無線通信ユニット３との認証が成立していることから、ＩＣカードのロック状態をロック解除状態に切り替える（地点Ｐ）。携帯端末装置１によってロック解除状態に切り替えられたＩＣカードは、携帯端末装置利用者によって当該ＩＣカードとカードリーダライタ２が通信可能な地点Ｑに携帯端末装置１が移動されると、カードリーダライタ２と通信を行い、当該ＩＣカードからの読み出し、あるいは当該ＩＣカードへの書き込みを許可する（地点Ｑ）。
【００１８】
［ロック解除状態からロック状態への切り替え処理の概要］
ＩＣカードを搭載する携帯端末装置１は、ＩＣカードをロック解除状態に切り替えた後、カードリーダライタ２との通信を開始したＩＣカードが当該ＩＣカードに備わるアンテナにより受信する電波の電波強度を計測している。携帯端末装置１が計測する電波強度は、携帯端末装置利用者によって地点Ｐから地点Ｑを経て地点Ｒに携帯端末装置１移動すると、地点Ｐから地点Ｑにかけて大きくなり、地点Ｑから地点Ｓにかけて小さくなっていく。携帯端末装置１は、ＩＣカードとカードリーダライタ２との通信が可能な閾値（この閾値は、地点Ｒにて計測される電波強度である）よりも大きい、地点Ｑにおける電界強度が、地点Ｒ付近においてこの閾値を下回ったことを検出すると、ＩＣカードをロック解除状態からロック状態へ切り替える（地点Ｒ）。なお、地点Ｐから地点Ｑに移動する携帯端末装置１は、上記の閾値よりも小さかった電界強度がこの閾値を上回ることになるため、ＩＣカードのロック解除状態を維持する。
【００１９】
上述のロック状態からロック解除状態への切り替え処理およびロック解除状態からロック状態への切り替え処理により、携帯端末装置利用者が携帯端末装置とこの携帯端末装置と対に設定されている無線通信ユニットとを両方保持している場合で、かつ携帯端末装置利用者が携帯端末装置に所定の操作をしたときに、携帯端末装置がロック状態にあるＩＣカードをロック解除状態に切り替える。これにより、無線通信ユニットと携帯端末装置とがお互いに近くに無い場合、特に携帯端末装置利用者が無線通信ユニットを保持し、携帯端末装置を保持していない場合には、ＩＣカードがロック解除状態になることはないため、ＩＣカードが不正に使用されることやスキミングされることを防ぐことができ、携帯端末装置利用者が無線通信ユニットと携帯端末装置を両方保持している場合には、携帯端末装置利用者が携帯端末装置に備わるある操作キーを押下するなどの簡易な操作をすることによって、ＩＣカードをロック解除状態にするため、ロック状態にあるＩＣカードを簡単な操作でロック解除状態に切り替えることができる。このような簡単な操作でＩＣカードをロック状態からロック解除状態に切り替えた後、携帯端末利用者がロック解除状態にあるＩＣカードをカードリーダライタにかざして無線通信を行なわせ、そのＩＣカードをカードリーダライタから離すとすぐに、ＩＣカードはロック状態に切り替わるため、カードリーダライタとの無線通信に最低限必要な期間のみＩＣカードをロック解除状態にしておくことができる。
【００２０】
以下、本発明の実施の形態の携帯端末装置の構成について、図２に示す、本発明の実施の携帯の携帯端末装置の構成図を参照して詳細に説明する。なお、本実施形態において、携帯端末装置１は、無線通信ユニット３と無線認証を行うと共に、携帯無線通信用の基地局と通信可能な移動体通信機能を備えるものを例にとって説明するが、必ずしも移動体通信機能を備える必要はなく、種々の携帯端末装置が適用可能である。
【００２１】
図２に示すように、携帯端末装置１は、端末制御部１１と、無線認証部１２と、使用制限判定部１３と、タイマ１４と、操作部１５と、移動体無線部１６と、ＩＣカード１７と、電圧検出部１８と、を備える。
【００２２】
端末制御部１１は、携帯端末装置１の機能、例えば、電子決済機能やデータ参照機能、着信機能等の制御を行う。無線認証部１２は、特許請求の範囲の無線認証部の一例として動作するものであり、無線通信ユニット３との距離を検出し、無線通信ユニット３との距離が認証距離以内にあるか否かに応じて認証を行う。使用制限判定部１３は、特許請求の範囲のＩＣカード使用制御部の一例として動作するものであり、無線認証部による認証結果に基づいて、携帯端末装置１が有する所定の機能の使用を制限する。タイマ１４は所定時間毎にクロックを使用制限判定部１３に出力する。操作部１５は、特許請求の範囲の操作部の一例として動作するものであり、例えば使用者からの操作入力を受け付け、端末制御部１１及び使用制限判定部１３に操作信号を出力する。移動体無線部１６は、基地局との無線通信を行う。ＩＣカード１７は、特許請求の範囲のＩＣ回路の一例として動作するものであり、カードリーダライタ２と無線通信を行い、カードリーダライタ２によるデータの読み出しおよび書き込みを受け付ける。電圧検出部１８は、特許請求の範囲の電波強度検出部の一例として動作するものであり、ＩＣカード１７がカードリーダライタ２から電波を受信し、その電波を整流した電圧値を測定する。
【００２３】
無線認証部１２は、記憶部１２１と、無線部１２２と、判定部１２３とを有する。記憶部１２１は、無線通信ユニット３との間の無線認証を行う際に用いられる識別コード等の認証用ＩＤを記憶する。なお、この認証用ＩＤは、例えば、携帯端末装置１と無線通信ユニット３との間で予め関連付けされたＩＤであり、無線通信を介して互いに一対であることを把握することで、常時認証することができるものである。
【００２４】
無線部１２２は、無線通信ユニット３との間の無線通信を行うものであり、記憶部１２１に記憶されている認証用ＩＤを無線通信ユニット３に送信すると共に、無線通信ユニット３からの無線信号を受信する。
【００２５】
判定部１２３は、無線部１２２にて受信した、無線通信ユニット３からの受信信号を復調してＩＤを解析すると共に、受信信号の信号レベル又は誤り率等から無線通信ユニット３との距離を検出する。そして、記憶部１２１を参照して受信したＩＤが認証用ＩＤと一致し、かつ、無線通信ユニット３との距離が所定の距離（認証距離）以内であれば、認証成立と判定し、それ以外の場合には認証が不成立と判定する。そして、認証結果として、認証フラグ（例えば認証成立時に０、認証不成立時に１）を、使用制限判定部１３に出力する。
【００２６】
使用制限判定部１３は、使用制限指示部１３１と、カウンタ１３２とを有する。カウンタ１３２は、使用制限指示部１３１からの指示に応じて、タイマ１４からのクロックに基づいて時間を計測し、使用制限指示部１３１に計測結果を出力する。使用制限指示部１３１は、無線認証部１２の判定部１２３から出力された認証フラグを検出し、操作部１５によってロック状態にあるＩＣカード１７をロック解除状態に切り替えるための入力操作を受け付けたことを検出し、電圧検出部１８から通知される電圧値を検出する。使用制限指示部１３１は、認証フラグに応じて端末制御部１１に所定の機能の使用を制限する指示を出力し、また認証フラグ、操作部１５による入力操作および電圧検出部１８から通知される電圧値に応じて、ロック状態あるいはロック解除状態に切り替える指示をＩＣカード１７２に出力する。また、使用制限指示部１３１は、カウンタ１３２からの出力を用いてＩＣカード１７にロック解除状態に切り替える指示を出力してからの経過時間を把握する。
【００２７】
ＩＣカード１７は、ＩＣ無線部部１７１と、整流部１７２と、メモリ１７３と、制御部１７４とを有し、電子マネーなどの情報をやり取りする。
【００２８】
ＩＣ無線部１７１は、アンテナを介して、ＲＦＩＤ（Radio Frequency Identification：無線周波数識別）で使用される短距離通信用の電波を用いて、カードリーダライタ２と無線通信を行う。カードリーダライタ２との無線通信はＲＦＩＤに限定するものではなく、他の短距離通信（例えばＵＷＢ（Ultra Wide Band：超広帯域無線やBluetooth）であってもよい。
【００２９】
整流部１７２は、カードリーダライタ２に携帯端末装置１が近づくことにより携帯端末装置１内部のＩＣ無線部１７１に入力される電波を直流電圧に変換し、この直流電圧をＩＣカード１７の駆動に用いる。
【００３０】
メモリ１７３は、ＩＣカード１７とカードリーダライタ２との間で送受信されるデータを記憶する。なお、メモリ１７３は、携帯端末装置１によってＩＣカード１７がロック状態に設定されていないとき、カードリーダライタ２によるデータの読み出し要求、書き込み要求処理に応答することができる。
【００３１】
制御部１７４は、カードリーダライタ２との無線通信を行なうためにＩＣカード１７の動作を制御する。制御部１７４は、具体的には、ＩＣ無線部１７１により受信した、カードリーダライタ２からのデータ読み出し要求に応じて、メモリ１７３から該当データを抽出し、その抽出したデータをＩＣ無線部１７１にカードリーダライタ２に送信するよう制御する。また、制御部１７４は、使用制限指示部１３１から受け付けたロック状態へ切り替える指示あるいはロック解除状態に切り替える指示に応じて、ＩＣ無線部１７１を無線通信を禁止するロック状態あるいは無線通信を許可するロック解除状態にする（なお、ロック状態にあるときに、ＩＣカード１７がカードリーダライタ２と全く無線通信を行なわないのではなく、カードリーダライタ２からの無線電波は受信するが、その電波に含まれるコマンドに応答してメモリ１７３に記憶されているデータをカードリーダライタ２に送信しない、といった無線通信状況であっても構わない。重要なのは、ロック状態にあるＩＣカード１７からカードリーダライタ２にデータを送信しないことである）。
【００３２】
無線通信ユニット３は、携帯端末装置１の無線認証を行うための無線認証部３１が設けられている。無線認証部３１は、携帯端末装置１の無線認証部１２に設けられた記憶部１２１、無線部１２２、及び判定部１２３とそれぞれ同様の動作を行う記憶部３１１、無線部３１２、及び判定部３１３を有する。
【００３３】
以下、本発明の実施の形態の携帯端末装置による処理の流れについて、図３に示す、本発明の実施の形態の携帯端末装置による処理フローを参照して説明する。
【００３４】
携帯端末装置１の使用制限指示部１３１は、電源投入されるとＩＣカード１７をロック状態に設定する（ステップＳ１）。なお、電源投入時にＩＣカードをロック解除状態に設定しても良いが、後述するＩＣカードをロック状態に切り替えるまでロック解除状態が続いてしまい、この間に第３者による不正使用やスキミングされてしまう恐れがあるため、ステップＳ１の処理を行なうことが好ましい。この後、無線認証部１２は、無線通信ユニット３と無線通信を開始し、無線通信ユニット３との距離を検出し、無線通信ユニット３との距離が認証距離以内にあるか否かに応じて認証を行う（ステップＳ２）。
【００３５】
無線認証部１２は無線通信ユニット３との距離が認証距離以内であり認証に成功したと判定すると（ステップＳ３、ＹＥＳ）、使用制限指示部１３１は操作部１５による入力操作を受け付け可能な状態にする、つまり操作部１５が受け付けた入力操作に応じて端末制御部１１が処理を行なうことを許可する。一方、無線認証部１２は無線通信ユニット３との距離が認証距離より大きく認証に失敗したと判定すると（ステップＳ３、ＮＯ）、使用制限指示部１３１はＩＣカード１７のロック状態を維持し（ステップＳ４）、また操作部１５に入力操作を受け付けさせず、端末制御部１１が携帯端末装置１が有する所定の機能を実行することを制限する。
【００３６】
使用制限指示部１３１は、ステップＳ３の処理後、操作部１５による所定の操作（携帯端末装置側面に配置された操作キーの押下などの操作）を受け付けると（ステップＳ５）、ＩＣカード１７をロック解除状態に設定する（ステップＳ６）。ロック解除状態に切り替えられたＩＣカード１７は、カードリーダライタ２と無線通信可能な範囲にあればカードリーダライタ２と通信を行う（ステップＳ７、ＹＥＳ）。ＩＣカード１７をロック解除状態に切り替えた後、電圧検出部１８は計測している電界強度がＩＣカードとカードリーダライタ２との間で通信可能な数値から通信不可能な数値に推移した（計測している電界強度がある閾値以上から閾値未満に推移した）とすると（ステップＳ８、ＹＥＳ）、この旨を検知した利用制限指示部１３１はＩＣカードをロック状態に切り替える（ステップＳ４）。ステップＳ８、ＹＥＳの処理後、ＩＣカードをロック状態に切り替える場合を第１のモードと称する。
【００３７】
一方、ステップＳ６の処理後、ロック解除状態に切り替えられたＩＣカード１７は、無線通信可能な範囲にカードリーダライタ２が存在しない場合にはカードリーダライタ２と通信を行うことができない（ステップＳ７、ＮＯ）。この場合、ＩＣカード１７をロック解除状態に切り替えられてからの時間を計時しているカウンタ１３２が所定の時間分計時すると（ステップＳ９、ＹＥＳ）、この旨を検出した利用制限指示部１３１はＩＣカードをロック状態に切り替える（ステップＳ４）。また、カウンタ１３２が所定の時間分計時する前であっても（ステップＳ９、ＮＯ）、無線認証部１２が無線通信ユニット３との距離が認証距離より大きく認証に失敗したと判定すると（ステップＳ１０、ＮＯ）、この旨を通知された利用制限指示部１３１はＩＣカードをロック状態に切り替える（ステップＳ４）。これらステップＳ６からステップＳ４に至る処理を携帯端末装置利用者の振る舞いに対応させてみると、カードリーダライタ２と無線通信可能な範囲の外でＩＣカード１７をロック解除状態に切り替えた携帯端末利用者は、無線通信可能な範囲の外に所定の時間ＩＣカード１７と共に居続けるとＩＣカード１７が自動的にロック状態に切り替えられ、あるいはＩＣカード１７をロック解除状態に切り替えたときには保持していた無線通信ユニット３をどこかに置き忘れたときにはＩＣカード１７が自動的にロック状態に切り替えられる、ということになる。
【００３８】
なお、電圧検出部１８は計測している電界強度がＩＣカードとカードリーダライタ２との間で通信可能な数値を維持している場合（ステップＳ８、ＮＯ）、ＩＣカード１７をロック解除状態に切り替えられてからの時間を計時しているカウンタ１３２が所定の時間分計時すると（ステップＳ９、ＹＥＳ）、この旨を検出した利用制限指示部１３１はＩＣカードをロック状態に切り替える（ステップＳ４）ようにしても良い（ステップＳ９、ＹＥＳの処理後、ＩＣカードをロック状態に切り替える場合を第２のモードと称する。）。あるいは、カウンタ１３２が所定の時間分計時する前であっても（ステップＳ９、ＮＯ）、無線認証部１２が無線通信ユニット３との距離が認証距離より大きく認証に失敗したと判定すると（ステップＳ１０、ＮＯ）、この旨を通知された利用制限指示部１３１はＩＣカードをロック状態に切り替える（ステップＳ４）ようにしても良い。これは、ＩＣカード１７とカードリーダライタ２とに通信を行わせることによって得られるサービスよりもＩＣカード１７がスキミングされることを防止することを携帯端末利用者が望んでいる場合、ＩＣカード１７とカードリーダライタ２とが通信を開始してから所定の時間経過したときに自動的にＩＣカード１７をロック解除状態にするものである。
【００３９】
予め第１のモード、第２のモードをどちらを優先するかを予め設定しておき、ＩＣカード１７とカードリーダライタ２とに通信を行わせることによって得られるサービスを優先して携帯端末利用者が利用したい場合（すなわち第１のモードを優先させる場合）には、電圧検出部１８によって計測される電界強度がＩＣカードとカードリーダライタ２との間で通信可能な数値から通信不可能な数値に推移するまでロック解除状態を維持し、一方、ＩＣカード１７がスキミングされることを防止することを優先する場合（すわなち第２のモードを優先させる場合）には、電圧検出部１８によって計測される電界強度がＩＣカードとカードリーダライタ２との間で通信可能な数値を維持していても、ＩＣカード１７をロック解除状態に切り替えてから所定の時間経過していればＩＣカードをロック状態に切り替えるようにしても良い。
【００４０】
本発明の実施の形態の携帯端末装置によれば、携帯端末装置利用者が携帯端末装置とこの携帯端末装置と対に設定されている無線通信ユニットとを両方保持している場合で、かつ携帯端末装置利用者が携帯端末装置に所定の操作をしたときに、携帯端末装置がロック状態にあるＩＣカードをロック解除状態に切り替える。これにより、無線通信ユニットと携帯端末装置とがお互いに近くに無い場合、特に携帯端末装置利用者が無線通信ユニットを保持し、携帯端末装置を保持していない場合には、ＩＣカードがロック解除状態になることはないため、ＩＣカードが不正に使用されることやスキミングされることを防ぐことができ、携帯端末装置利用者が無線通信ユニットと携帯端末装置を両方保持している場合には、携帯端末装置利用者が携帯端末装置に備わるある操作キーを押下するなどの簡易な操作をすることによって、ＩＣカードをロック解除状態にするため、ロック状態にあるＩＣカードを簡単な操作でロック解除状態に切り替えることができる。このような簡単な操作でＩＣカードをロック状態からロック解除状態に切り替えた後、携帯端末利用者がロック解除状態にあるＩＣカードをカードリーダライタにかざして無線通信を行なわせ、そのＩＣカードをカードリーダライタから離すとすぐに、ＩＣカードはロック状態に切り替わるため、カードリーダライタとの無線通信に最低限必要な期間のみＩＣカードをロック解除状態にしておくことができる。
【００４１】
なお、本発明の実施の形態の携帯端末装置では、ＩＣカードをロック状態あるいはロック解除状態に切り替えることについて詳細に説明したが、携帯端末装置１と無線通信ユニット３との間で認証失敗したときにＩＣカードをロック状態に切り替える以外に、近年の携帯端末装置が備える各種機能も併せて使用不能にしても構わない。
【産業上の利用可能性】
【００４２】
本発明の携帯端末装置は、ロック解除状態にあるＩＣカードがスキミングされることを防ぎつつ、ＩＣカード利用者にとって最適なタイミングでロック解除状態にあるＩＣカードをロック状態に切り替えることができ、また、ロック状態にあるＩＣカードを簡単な操作でロック解除状態に切り替えることができるという効果を奏し、カードリーダライタと無線通信を行うＩＣカードを搭載した携帯端末装置の分野において有用である。
【図面の簡単な説明】
【００４３】
【図１】本発明の実施の形態の携帯端末装置による、当該携帯端末装置に搭載されたＩＣカードをロック解除状態およびロック状態に切り替える処理の概要
【図２】本発明の実施の携帯の携帯端末装置の構成図
【図３】本発明の実施の形態の携帯端末装置による処理フロー
【符号の説明】
【００４４】
１  携帯端末装置
１１  端末制御部
１２  無線認証部
１２１  記憶部
１２２  無線部
１２３  判定部
１３  使用制限判定部
１３１  使用制限指示部
１３２  カウンタ
１４  タイマ
１５  操作部
１６  移動体無線部
１７  ＩＣカード
１７１  ＩＣ無線部
１７２  整流部
１７３  メモリ
１７４  ＩＣ制御部
１８  電圧検出部
２  カードリーダライタ
３  無線通信ユニット
３１  無線認証部３１
３１１  記憶部
３１２  無線部
３１３  判定部
【図１】
2007148670.tif 000003
【図２】
2007148670.tif 000004
【図３】
2007148670.tif 000005